(57)【要約】      （修正有）【課題】洗浄液の無駄を解消あるいは軽減することが可能な洗浄機を提供する。【解決手段】上側洗浄シャワーアーム１ｂと、下側洗浄シャワーアーム１ｃと、洗浄液を供給する洗浄液供給機構と、上側洗浄シャワーアーム及び下側洗浄シャワーアームを水平方向に往復動させる洗浄駆動機構３、３と、を備え、被洗浄物を収容した正面視矩形状の角型ラックＲを正面側を上方とする姿勢で洗浄室Ａｓ内に収納し、水平方向に往復動させた上側洗浄シャワーアーム及び下側洗浄シャワーアームから角型ラックに向けて洗浄液を噴射して洗浄する洗浄機であって、上側洗浄シャワーアーム及び下側洗浄シャワーアームは、それぞれ角型ラックの正面視矩形状の一辺に平行に設けられると共に同一辺に直交する方向の角型ラックの二辺に差し渡すように設けられ、往復動の開始前において、上面視で角型ラックの外側に位置する洗浄ホームポジションに配置される。【選択図】図１
2019122810.tif 000002
【特許請求の範囲】
【請求項１】
被洗浄物の上方に位置し下方に向けて洗浄液を噴射する上側洗浄シャワーアームと、
被洗浄物の下方に位置し上方に向けて洗浄液を噴射する下側洗浄シャワーアームと、
前記上側洗浄シャワーアーム及び下側洗浄シャワーアームに洗浄液を供給する洗浄液供給機構と、
前記上側洗浄シャワーアーム及び下側洗浄シャワーアームを水平方向に往復動させる洗浄駆動機構と、を備え、
被洗浄物を収容した正面視矩形状の角型ラックを前記正面側を上方とする姿勢で洗浄室内に収納し、水平方向に前記往復動させた前記上側洗浄シャワーアーム及び下側洗浄シャワーアームから前記角型ラックに向けて洗浄液を噴射して洗浄する洗浄機であって、
前記上側洗浄シャワーアームは、前記角型ラックの上方において前記角型ラックの正面視矩形状の一辺に平行に設けられると共に前記一辺に直交する方向の前記角型ラックの二辺に差し渡すように設けられ、
前記下側洗浄シャワーアームは、前記角型ラックの下方において前記一辺に平行に設けられると共に前記一辺に直交する方向の前記角型ラックの二辺に差し渡すように設けられ、
前記上側洗浄シャワーアーム及び下側洗浄シャワーアームは、前記洗浄駆動機構により、前記一辺に直交する水平方向に前記往復動させられるものであり、前記往復動の開始前において、上面視で前記角型ラックの外側に位置する洗浄ホームポジションに配置されることを特徴とする洗浄機。
【請求項２】
上側洗浄シャワーアーム及び下側洗浄シャワーアームは、被洗浄物の洗浄処理が終了すると最終的に洗浄ホームポジションに停止した状態となることを特徴とする請求項１記載の洗浄機。
【請求項３】
被洗浄物の上方に位置し下方に向けてすすぎ湯を噴射する上側すすぎシャワーアームと、
被洗浄物の下方に位置し上方に向けてすすぎ湯を噴射する下側すすぎシャワーアームと、
前記上側すすぎシャワーアーム及び下側すすぎシャワーアームにすすぎ湯を供給するすすぎ湯供給機構と、
前記上側すすぎシャワーアーム及び下側すすぎシャワーアームを水平方向に往復動させるすすぎ駆動機構と、をさらに備え、
前記上側すすぎシャワーアームは、角型ラックの上方において前記角型ラックの正面視矩形状の一辺に平行に設けられると共に前記一辺に直交する方向の前記角型ラックの二辺に差し渡すように設けられ、
前記下側すすぎシャワーアームは、前記角型ラックの下方において前記一辺に平行に設けられると共に前記一辺に直交する方向の前記角型ラックの二辺に差し渡すように設けられ、
前記上側すすぎシャワーアーム及び下側すすぎシャワーアームは、前記すすぎ駆動機構により、前記一辺に直交する水平方向に前記往復動させられるものであり、前記往復動の開始前において、上面視で前記角型ラックの外側に位置するすすぎホームポジションに配置されることを特徴とする請求項１または２記載の洗浄機。
【請求項４】
上側すすぎシャワーアーム及び下側すすぎシャワーアームは、被洗浄物のすすぎ処理が終了すると最終的にすすぎホームポジションに停止した状態となることを特徴とする請求項３記載の洗浄機。
【請求項５】
上側洗浄シャワーアーム及び下側洗浄シャワーアームと、上側すすぎシャワーアーム及び下側すすぎシャワーアームとは、水平方向において互いに対向して配置されていることを特徴とする請求項３または４記載の洗浄機。
【請求項６】
上側洗浄シャワーアーム及び下側洗浄シャワーアームと、上側すすぎシャワーアーム及び下側すすぎシャワーアームとは、上面視で角型ラックの全領域に亘って移動することを特徴とする請求項３〜５のいずれか一項に記載の洗浄機。
【発明の詳細な説明】
【技術分野】
【０００１】
本発明は、食器等の被洗浄物を洗浄する洗浄機に関する。
【背景技術】
【０００２】
例えば、下記特許文献１には、食器（被洗浄物）を収容するラックの上方及び下方に回転自在に設けられた洗浄シャワーアームから被洗浄物に向けて洗浄液を噴射することにより被洗浄物を洗浄し、さらに上記洗浄シャワーアームと同軸状かつ回転自在に設けられたとすすぎシャワーアームから被洗浄物に向けてすすぎ湯を噴射することにより被洗浄物に付着した洗浄液を洗い流す食器洗浄機が開示されている。
【０００３】
一方、下記特許文献２にも、上記特許文献１と同様に、食器等の被洗浄物を洗浄処理する洗浄機が開示されている。この洗浄機は、被洗浄物を収容する角型ラックを内部に収納し、当該角型ラックの上方及び下方に回転自在に設けられたシャワーアームから被洗浄物に向けてすすぎ湯を噴射することにより、被洗浄物に付着した洗浄液を洗い流す。なお、特許文献１には十分に説明されていないが、特許文献２の洗浄機も特許文献１の食器洗浄機と同様に、シャワーアーム（洗浄シャワーアーム）を回転させて洗浄液を被洗浄物に噴射するものである。
【先行技術文献】
【特許文献】
【０００４】
【特許文献１】特開２００３−２０４９１４号公報
【特許文献２】特開２００５−２４５７５４号公報
【発明の概要】
【発明が解決しようとする課題】
【０００５】
ところで、上記特許文献１の洗浄シャワーアームによって特許文献２の角型ラックに収容された被洗浄物の洗浄を行う場合、洗浄シャワーアームは回転することによって円形の領域（洗浄領域）に洗浄液を噴射するものなので、角型ラックの全領域に亘って洗浄液を噴射しようとすると、被洗浄物の洗浄に寄与しない洗浄液の無駄が発生する。このような洗浄液の無駄については、角型ラックの形状（矩形）が洗浄領域の形状（円形）と相違することに本質的な原因がある。
【０００６】
本発明は、上述した事情に鑑みたものであり、洗浄液の無駄を解消あるいは軽減することが可能な洗浄機の提供を目的とするものである。
【課題を解決するための手段】
【０００７】
上記目的を達成するために、本発明では、第１の解決手段として、被洗浄物の上方に位置し下方に向けて洗浄液を噴射する上側洗浄シャワーアームと、被洗浄物の下方に位置し上方に向けて洗浄液を噴射する下側洗浄シャワーアームと、前記上側洗浄シャワーアーム及び下側洗浄シャワーアームに洗浄液を供給する洗浄液供給機構と、前記上側洗浄シャワーアーム及び下側洗浄シャワーアームを水平方向に往復動させる洗浄駆動機構と、を備え、被洗浄物を収容した正面視矩形状の角型ラックを前記正面側を上方とする姿勢で洗浄室内に収納し、水平方向に前記往復動させた前記上側洗浄シャワーアーム及び下側洗浄シャワーアームから前記角型ラックに向けて洗浄液を噴射して洗浄する洗浄機であって、前記上側洗浄シャワーアームは、前記角型ラックの上方において前記角型ラックの正面視矩形状の一辺に平行に設けられると共に前記一辺に直交する方向の前記角型ラックの二辺に差し渡すように設けられ、前記下側洗浄シャワーアームは、前記角型ラックの下方において前記一辺に平行に設けられると共に前記一辺に直交する方向の前記角型ラックの二辺に差し渡すように設けられ、前記上側洗浄シャワーアーム及び下側洗浄シャワーアームは、前記洗浄駆動機構により、前記一辺に直交する水平方向に前記往復動させられるものであり、前記往復動の開始前において、上面視で前記角型ラックの外側に位置する洗浄ホームポジションに配置される、という手段を採用する。
【０００８】
第２の解決手段として、上記第１の手段において、上側洗浄シャワーアーム及び下側洗浄シャワーアームは、被洗浄物の洗浄処理が終了すると最終的に洗浄ホームポジションに停止した状態となる、という手段を採用する。
【０００９】
第３の解決手段として、上記第１または第２の手段において、被洗浄物の上方に位置し下方に向けてすすぎ湯を噴射する上側すすぎシャワーアームと、被洗浄物の下方に位置し上方に向けてすすぎ湯を噴射する下側すすぎシャワーアームと、前記上側すすぎシャワーアーム及び下側すすぎシャワーアームにすすぎ湯を供給するすすぎ湯供給機構と、前記上側すすぎシャワーアーム及び下側すすぎシャワーアームを水平方向に往復動させるすすぎ駆動機構と、をさらに備え、前記上側すすぎシャワーアームは、角型ラックの上方において前記角型ラックの正面視矩形状の一辺に平行に設けられると共に前記一辺に直交する方向の前記角型ラックの二辺に差し渡すように設けられ、前記下側すすぎシャワーアームは、前記角型ラックの下方において前記一辺に平行に設けられると共に前記一辺に直交する方向の前記角型ラックの二辺に差し渡すように設けられ、前記上側すすぎシャワーアーム及び下側すすぎシャワーアームは、前記すすぎ駆動機構により、前記一辺に直交する水平方向に前記往復動させられるものであり、前記往復動の開始前において、上面視で前記角型ラックの外側に位置するすすぎホームポジションに配置される、という手段を採用する。
【００１０】
第４の解決手段として、上記第３の手段において、上側すすぎシャワーアーム及び下側すすぎシャワーアームは、被洗浄物のすすぎ処理が終了すると最終的にすすぎホームポジションに停止した状態となる、という手段を採用する。
【００１１】
第５の解決手段として、上記第３または第４の手段において、上側洗浄シャワーアーム及び下側洗浄シャワーアームと、上側すすぎシャワーアーム及び下側すすぎシャワーアームとは、水平方向において互いに対向して配置されている、という手段を採用する。
【００１２】
第６の解決手段として、上記第３〜第５のいずれか一つの手段において、上側洗浄シャワーアーム及び下側洗浄シャワーアームと、上側すすぎシャワーアーム及び下側すすぎシャワーアームとは、上面視で角型ラックの全領域に亘って移動する、という手段を採用する。
【発明の効果】
【００１３】
本発明の洗浄機によれば、洗浄液の無駄を解消あるいは軽減することが可能である。
【図面の簡単な説明】
【００１４】
【図１】本発明の一実施形態に係る洗浄機の全体構成を示す模式図である。
【図２】本発明の一実施形態に係る洗浄機において、前側から見た洗浄シャワーアームと角型ラックの位置関係を示す模式図（ａ）と、上方から見た洗浄シャワーアームと角型ラックの位置関係を示す模式図（ｂ）とである。
【発明を実施するための形態】
【００１５】
以下、図面を参照して、本発明の一実施形態について説明する。
本実施形態に係る洗浄機は、食器Ｓを洗浄対象（被洗浄物）とする食器洗浄機である。この洗浄機は、図１に示すように縦長かつ箱型の外形を備え、内部の上側空間が洗浄室Ａｓ、また内部の下側空間が機械室Ａｋに区分けされている。
【００１６】
このような洗浄室Ａｓ及び機械室Ａｋは、何れも略箱型（立方体）形状である。図示していないが、洗浄室Ａｓの前側には跳ね上げ式の開閉扉が設けられている。この開閉扉が上方に移動することにより洗浄室Ａｓ内が外部に対して開状態となり、この開状態において食器Ｓを収容した角型ラックＲの洗浄室Ａｓへの出し入れが可能となる。
【００１７】
角型ラックＲは、正面視矩形状の樹脂製あるいは金属製の容器であり、正面側を上方とする姿勢で洗浄室Ａｓ内に収納される。この角型ラックＲは、図２にも示すように、高さが比較的低い箱型（立方体）形状であり、図２（ａ）に示すように正面側から複数の食器Ｓを収容するものである。すなわち、この角型ラックＲは、図２（ｂ）に示すように正面視した場合（上方側から見た場合）に、互いに平行な奥端辺ｒ１及び前端辺ｒ２並びに奥端辺ｒ１及び前端辺ｒ２に直交する左端辺ｒ３及び右端辺ｒ４を備える。なお、このような角型ラックＲは、図示していないが、洗浄室Ａｓ内に設けられた支持具によって図１及び図２に示す状態に保持される。
【００１８】
このような角型ラックＲが収納された洗浄室Ａｓ内には、洗浄シャワーアーム１、すすぎシャワーアーム２、一対の駆動機構３，３が設けられている。洗浄シャワーアーム１は、図２（ａ）に示すように、前側（開閉扉側）から洗浄室Ａｓ内を見た場合に角型ラックＲ及び食器Ｓを内包し得る大きさの口型の管路である。
【００１９】
すなわち、この洗浄シャワーアーム１は、角型ラックＲの横幅よりも若干広い間隔で平行対峙すると共に鉛直方向に所定長さで直線状に延在する一対の縦管路部１ａ，１ａと、当該一対の縦管路部１ａ，１ａの上端に差し渡すように設けられると共に水平方向に延在する上管路部１ｂと、上記一対の縦管路部１ａ，１ａの下端に差し渡すように設けられると共に水平方向に延在する下管路部１ｃとを備える。
【００２０】
上記一対の縦管路部１ａ，１ａは、前側から洗浄室Ａｓ内を見た場合に、角型ラックＲ及び食器Ｓの左右に位置し、また上管路部１ｂは角型ラックＲ及び食器Ｓの上方に位置し、さらに下管路部１ｃは角型ラックＲ及び食器Ｓの下方に位置する。上記上管路部１ｂ及び上記下管路部１ｃは、図２（ｂ）に示すように、角型ラックＲの奥端辺ｒ１及び前端辺ｒ２に対して平行に設けられている。
【００２１】
また、上記上管路部１ｂ及び下管路部１ｃには、所定間隔でノズル孔が設けられている。すなわち、角型ラックＲ及び食器Ｓの上方に位置する上管路部１ｂには、角型ラックＲ及び食器Ｓが位置する下方に向けて洗浄液を噴射する複数のノズル孔が形成されている。一方、角型ラックＲ及び食器Ｓの下方に位置する下管路部１ｃには、角型ラックＲ及び食器Ｓが位置する上方に向けて洗浄液を噴射する複数のノズル孔が形成されている。このような上管路部１ｂは、本実施形態における上側洗浄シャワーアームであり、また上記下管路部１ｃは、本実施形態における下側洗浄シャワーアームである。
【００２２】
すすぎシャワーアーム２は、上記洗浄シャワーアーム１と同形状に形成されており、図２（ａ）に示すように、前側から洗浄室Ａｓ内を見た場合に角型ラックＲ及び食器Ｓを内包し得る大きさの口型の管路である。
【００２３】
すなわち、すすぎシャワーアーム２は、角型ラックＲの横幅よりも若干広い間隔で平行対峙すると共に鉛直方向に所定長さで直線状に延在する一対の縦管路部２ａ，２ａと、当該一対の縦管路部２ａ，２ａの上端に差し渡すように設けられると共に水平方向に延在する上管路部２ｂと、上記一対の縦管路部２ａ，２ａの下端に差し渡すように設けられると共に水平方向に延在する下管路部２ｃとを備える。
【００２４】
上記一対の縦管路部２ａ，２ａは、前側から洗浄室Ａｓ内を見た場合に、角型ラックＲ及び食器Ｓの左右に位置し、また上管路部２ｂは角型ラックＲ及び食器Ｓの上方に位置し、さらに下管路部２ｃは角型ラックＲ及び食器Ｓの下方に位置する。上記上管路部２ｂ及び上記下管路部２ｃは、図２（ｂ）に示すように、角型ラックＲの奥端辺ｒ１及び前端辺ｒ２に対して平行に設けられている。
【００２５】
また、上記上管路部２ｂ及び下管路部２ｃには、所定間隔でノズル孔が設けられている。すなわち、角型ラックＲ及び食器Ｓの上方に位置する上管路部２ｂには、角型ラックＲ及び食器Ｓが位置する下方に向けてすすぎ湯を噴射する複数のノズル孔が形成されている。一方、角型ラックＲ及び食器Ｓの下方に位置する下管路部２ｃには、角型ラックＲ及び食器Ｓが位置する上方に向けてすすぎ湯を噴射する複数のノズル孔が形成されている。このような上管路部２ｂは、本実施形態における上側すすぎシャワーアームである。また、下管路部２ｃは、本実施形態における下側すすぎシャワーアームである。
【００２６】
一対の駆動機構３，３は、洗浄シャワーアーム１及びすすぎシャワーアーム２を上述した位置及び姿勢状態に支持すると共に当該状態を保持したまま往復動させる。すなわち、一対の駆動機構３，３は、図２（ａ）に示すように、洗浄シャワーアーム１及びすすぎシャワーアーム２の右側と右側とに設けられ、当該右側と右側とを支持し、また図２（ｂ）に示すように、洗浄シャワーアーム１及びすすぎシャワーアーム２を前後方向に往復動させる。
【００２７】
このような一対の駆動機構３，３は、例えばボールねじ機構である。また、このような一対の駆動機構３，３は、本実施形態における洗浄駆動機構であり、かつ、すすぎ駆動機構である。
【００２８】
上記機械室Ａｋには、洗浄槽４、洗浄液ポンプ５、すすぎ湯槽６、すすぎ湯ポンプ７等が設けられている。洗浄槽４は、洗浄室Ａｓの下部に位置し、洗浄室Ａｓから回収した洗浄液を貯留する。この洗浄槽４の洗浄液の入口には、食器Ｓに付着していた食物残渣をろ過するフィルタが設けられている。すなわち、洗浄槽４内に貯留される洗浄液は、フィルタによって食物残渣がほぼ除去されたものである。
【００２９】
洗浄液ポンプ５は、上記洗浄槽４に貯留された洗浄液を洗浄槽４から汲み上げて洗浄シャワーアーム１に供給するポンプである。すなわち、洗浄シャワーアーム１から食器Ｓに向けて噴射される洗浄液の量は、洗浄液ポンプ５の回転数によって規定される。上記洗浄槽４及び上記洗浄液ポンプ５は、本実施形態における洗浄液供給機構である。
【００３０】
すすぎ湯槽６は、外部から供給された水道水（常温水）を加温してすすぎ湯とすると共に当該すすぎ湯を所定量だけ貯留するものである。すすぎ湯ポンプ７は、このようなすすぎ湯槽６からすすぎ湯を汲み上げてすすぎシャワーアーム２に供給するポンプである。すなわち、すすぎシャワーアーム２から食器Ｓに向けて噴射されるすすぎ湯の量は、すすぎ湯ポンプ７の回転数によって規定される。
【００３１】
なお、図示していないが、本実施形態に係る洗浄機は、ユーザの操作指示を受け付ける操作部と、当該操作部に入力された操作指示に基づいて一対の駆動機構３，３、洗浄液ポンプ５及びすすぎ湯ポンプ７等を制御する制御部と、を備えている。本実施形態に係る洗浄機は、制御部がユーザの操作指示に基づいて作動することによって、食器Ｓに洗浄処理を施すと共に、洗浄後の食器Ｓにすすぎ処理を施する。なお、上記制御部は、所定の制御プログラムに従って作動するソフトウエア制御部である。
【００３２】
以上が本実施形態に係る洗浄機の概要構成であるが、以下に当該洗浄機の動作、つまり洗浄動作及びすすぎ動作について説明する。
【００３３】
ユーザは、洗浄機で食器Ｓを洗浄処理するに際して、開閉扉を開状態とすることにより、食器Ｓが収容された角型ラックＲを図１に示す状態で洗浄室Ａｓ内に収納させる。そして、ユーザは、開閉扉を閉状態に移行させると、操作部を操作することにより洗浄開始指示を洗浄機に入力する。
【００３４】
この結果、洗浄機は、一対の駆動機構３，３及び洗浄液ポンプ５を作動させて角型ラックＲ内の食器Ｓを洗浄する。すなわち、洗浄機の制御部は、操作部から洗浄開始指示が入力されると、最初に洗浄液ポンプ５を作動させることによって洗浄シャワーアーム１に洗浄液を供給させる。そして、制御部は、洗浄液ポンプ５の作動開始から所定時間経過した時点で一対の駆動機構３，３を作動させる。
【００３５】
このような洗浄液ポンプ５の作動開始と一対の駆動機構３，３の作動開始の時間的なずれ（遅延）は、洗浄液ポンプ５が作動開始してから洗浄液が洗浄シャワーアーム１から実際に噴射されるまでに時間的な遅れがあるためである。すなわち、洗浄機では、洗浄液が洗浄シャワーアーム１から噴射される状態になった後に、洗浄シャワーアーム１の往復動が開始される。
【００３６】
ここで、往復動の開始前の洗浄シャワーアーム１の位置（洗浄ホームポジション）は、図１の実線及び図２（ｂ）の二点鎖線で示すように、洗浄室Ａｓ内における最後方である。一対の駆動機構３，３が作動を開始すると、洗浄シャワーアーム１は、上記洗浄ホームポジションから前方側に所定速度で移動を開始し、図２（ｂ）の二点鎖線で示すように、すすぎシャワーアーム２の若干手前で移動を停止し、洗浄ホームポジションに向かって折り返す。
【００３７】
すなわち、洗浄シャワーアーム１は、図２（ｂ）に示すように、角型ラックＲの奥端辺ｒ１から前端辺ｒ２に至る全領域に亘って移動する。この結果、角型ラックＲ内の食器Ｓには余すところなく洗浄液が噴き付けられる。また、洗浄シャワーアーム１は、正面視矩形状の角型ラックＲの奥端辺ｒ１及び前端辺ｒ２に平行に移動するので、角型ラックＲ内の食器Ｓに無駄なく洗浄液を噴き付けることができる。したがって、本実施形態に係る洗浄機によれば、洗浄液の無駄を解消あるいは軽減することが可能である。
【００３８】
なお、洗浄シャワーアーム１は、食器Ｓの洗浄処理が終了すると、最終的に洗浄ホームポジションに移動して停止する。洗浄シャワーアーム１の移動開始から移動終了までの間、洗浄シャワーアーム１は、複数回に亘って往復動を繰り返すが、この往復動の回数は、操作部によって適宜設定可能である。すなわち、上記往復動の回数は、ユーザの洗浄品質に対する要求度合いに応じて適宜設定される。
【００３９】
このようにして食器Ｓの洗浄処理が終了すると、洗浄機は、一対の駆動機構３，３及びすすぎ湯ポンプ７を作動させて角型ラックＲ内の食器Ｓにすすぎ処理を施す。すなわち、洗浄機の制御部は、最初にすすぎ湯ポンプ７を作動させることによってすすぎシャワーアーム２にすすぎ湯を供給させる。そして、制御部は、すすぎ湯ポンプ７の作動開始から所定時間経過した時点で一対の駆動機構３，３を作動させる。
【００４０】
このようなすすぎ湯ポンプ７の作動開始と一対の駆動機構３，３の作動開始の時間的なずれ（遅延）は、すすぎ湯ポンプ７が作動開始してからすすぎ湯がすすぎシャワーアーム２から実際に噴射されるまでに時間的な遅れがあるためである。すなわち、洗浄機では、すすぎ湯がすすぎシャワーアーム２から噴射される状態になった後に、すすぎシャワーアーム２の往復動が開始される。
【００４１】
ここで、往復動の開始前のすすぎシャワーアーム２の位置（すすぎホームポジション）は、図１及び図２（ｂ）の実線で示すように、洗浄室Ａｓ内における最前方である。一対の駆動機構３，３が作動を開始すると、すすぎシャワーアーム２は、上記すすぎホームポジションから後方側に所定速度で移動を開始し、洗浄シャワーアーム１の若干手前で移動を停止し、すすぎホームポジションに向かって折り返す。
【００４２】
すなわち、すすぎシャワーアーム２は、角型ラックＲの奥側端辺から手前側端辺に至る全領域に亘って移動する。この結果、角型ラックＲ及び食器Ｓには余すところなくすすぎ湯が噴き付けられる。また、すすぎシャワーアーム２は、正面視矩形状の角型ラックＲの奥端辺ｒ１及び前端辺ｒ２に平行に移動するので、角型ラックＲ内の食器Ｓに無駄なくすすぎ湯を噴き付けることができる。したがって、本実施形態に係る洗浄機によれば、すすぎ湯の無駄を解消あるいは軽減することが可能である。
【００４３】
なお、本発明は、上記実施形態に限定されるものではなく、例えば以下のような変形例が考えられる。
（１）上記実施形態では、洗浄シャワーアーム１及びすすぎシャワーアーム２を口型の管路として構成したが、本発明はこれに限定されない。上管路部１ｂ及び上記下管路部１ｃ並びに上管路部２ｂ及び上記下管路部２ｃを各々個別の管路としてもよい。また、これ以外にも、洗浄シャワーアーム１及びすすぎシャワーアーム２の形態には種々の形態が考えられる。
【００４４】
（２）上記実施形態では、一対の駆動機構３，３を洗浄シャワーアーム１及びすすぎシャワーアーム２の左右に設けたが、本発明はこれに限定されない。例えば、一対の駆動機構３，３を洗浄シャワーアーム１及びすすぎシャワーアーム２の上下に、あるいは上側に２つとも設けてもよい。
【００４５】
（３）上記実施形態では、一対の駆動機構３，３としてボールねじ機構を用いたが、上述したように食器Ｓには食物残渣が付着しており、この食物残渣は洗浄液の噴き付けによって洗浄室Ａｓ内に飛散する可能性がある。この結果として、洗浄過程で食物残渣がボールねじ機構の内部に浸入して、ボールねじ機構が正常に作動しない場合が考えられる。このような事態を回避するために、ボールねじ機構に所定のシール機構を設けて食物残渣の浸入を防止することが好ましい。このシール機構は、ボールねじ機構内の潤滑油が洗浄室Ａｓ内に漏れ出さないようにするためにも有用である。
【００４６】
（４）上記実施形態では、洗浄シャワーアーム１及びすすぎシャワーアーム２が往復動する際の振動発生が考えられるが、この振動発生を抑制するためには、洗浄シャワーアーム１及びすすぎシャワーアーム２の移動速度を極力遅くするか、あるいは折り返す前後の移動速度を他の移動速度よりも遅くすることが好ましい。
【符号の説明】
【００４７】
Ａｓ…洗浄室、Ａｋ…機械室、Ｓ…食器、Ｒ…角型ラック、１…洗浄シャワーアーム（洗浄液噴射手段）、２…すすぎシャワーアーム、３…駆動機構、４…洗浄槽、５…洗浄液ポンプ、６…すすぎ湯槽、７…すすぎ湯ポンプ
【図１】
2019122810.tif 000003
【図２】
2019122810.tif 000004